(57)【要約】      （修正有）【課題】ライブ配信されている歌唱動画の視聴者に対し、ライブコンサートにおけるアーティストと観客の一体感と類似する感覚を与えることが可能なカラオケシステムを提供する。【解決手段】カラオケシステム１において、歌唱者端末Ｍ１は、カラオケ演奏を行う演奏処理部歌唱動画を生成し、サーバ装置Ｓにストリーミング送信する転送部を有し、複数の視聴者端末が、歌唱動画を表示手段に表示させる表示制御部視聴者端末の動きを検出し、モーションデータとしてサーバ装置Ｓに送信する検出部を有し、サーバ装置Ｓが、受信した複数のモーションデータのそれぞれに基づいて少なくとも一つのペンライト映像を生成する生成部及び歌唱動画に対し、生成した複数のペンライト映像を合成してライブ配信する配信部を有する。【選択図】図１
2020194030.tif 000002
【特許請求の範囲】
【請求項１】
複数の利用者端末、及び当該利用者端末と通信可能なサーバ装置を含むカラオケシステムであって、
前記利用者端末のうち、カラオケ歌唱を行う歌唱者が操作する歌唱者端末は、
楽曲の演奏データに基づいてカラオケ演奏を行う演奏処理部と、
前記演奏処理部が行うカラオケ演奏の演奏音と、集音手段により集音されたカラオケ歌唱の歌唱音声と、撮影手段によりカラオケ歌唱を行う前記歌唱者を撮影して得られる動画像とに基づいて歌唱動画を生成し、前記サーバ装置にストリーミング送信する転送部と、
を有し、
前記利用者端末のうち、前記歌唱動画を視聴する複数の視聴者が操作する複数の視聴者端末は、
前記サーバ装置がライブ配信する歌唱動画を表示手段に表示させる表示制御部と、
前記視聴者端末の動きを検出し、モーションデータとして前記サーバ装置に送信する検出部と、
を有し、
前記サーバ装置は、
受信した複数の前記モーションデータのそれぞれに基づいて、実際に使用されるペンライトの動きを模擬した少なくとも一つのペンライト映像を生成する生成部と、
前記歌唱者端末がストリーミング送信する前記歌唱動画に対し、生成した複数の前記ペンライト映像を合成して前記視聴者端末にライブ配信する配信部と、
を有するカラオケシステム。
【請求項２】
前記視聴者端末は、前記ペンライト映像の発光態様を決定するための発光情報を設定する設定部を有し、
前記検出部は、設定された前記発光情報を前記モーションデータと併せて前記サーバ装置に送信し、
前記生成部は、受信した前記発光情報に基づいて、前記ペンライト映像の発光態様を設定することを特徴とする請求項１記載のカラオケシステム。
【請求項３】
前記生成部は、受信した一の前記モーションデータに基づいて、複数のペンライト映像を生成することを特徴とする請求項１または２記載のカラオケシステム。
【請求項４】
前記検出部は、記憶手段に予め記憶されている所定のモーションデータを読み出し、前記モーションデータとして前記サーバ装置に送信することを特徴とする請求項１から３のいずれか一つに記載のカラオケシステム。
【請求項５】
前記検出部は、前記所定のモーションデータとして、前記検出部が検出した前記視聴者端末の動きに基づくモーションデータを記憶させることを特徴とする請求項４記載のカラオケシステム。
【発明の詳細な説明】
【技術分野】
【０００１】
本発明はカラオケシステムに関する。
【背景技術】
【０００２】
スマートフォンのような利用者端末を利用し、誰でも気軽にライブ配信を行うことができるサービスやプラットフォーム（以下、ライブ配信サービス）が普及している。このようなライブ配信サービスの中には、カラオケ用の音源を利用できるものも存在する（非特許文献１及び２参照。以下、カラオケ配信対応サービス）。
【０００３】
カラオケ配信対応サービスの利用者は、自己の利用者端末から放音される演奏音に合わせてカラオケ歌唱を行いながら、自らがカラオケ歌唱する姿を利用者端末で撮影する。利用者端末は、撮影された動画像を用いて歌唱動画を生成し、サーバ装置にストリーミング送信する。一方、他の利用者は、自らの利用者端末を用いてサーバ装置にアクセスすることにより、ストリーミング送信されている歌唱動画を自由に視聴することができる。
【０００４】
この際、カラオケ歌唱を行った利用者は、歌唱動画を視聴した利用者からのコメントやギフト（カラオケ配信対応サービス内で使用可能な仮想通貨等）を受信することができる。
【０００５】
ところで、アーティストのライブコンサートや各種イベント等においては、観客参加型の演出方法が採用されることがある。たとえば、楽曲の演奏や演出に合わせて多数の観客がそれぞれ携帯発光装置（たとえば、ペンライトや腕時計型の発光体）を動かすことで演出効果を高めると共に、アーティストと観客の一体感を得る方法がある。
【０００６】
特許文献１には、複数色を発光可能なペンライトを利用した演出用発光装置が開示されている。特許文献１に開示された演出用発光装置は、複数の携帯発光装置（ペンライト）の発光色を、無線接続された一台の発光状態制御装置によって制御することで、観客席において任意の光の文字、画像、模様を表現することができる。
【先行技術文献】
【特許文献】
【０００７】
【特許文献１】特開２００３−０３６９８１号公報
【非特許文献】
【０００８】
【非特許文献１】「ＳＨＯＷＲＯＯＭ」、株式会社第一興商、ＳＨＯＷＲＯＯＭ株式会社、［令和１年５月６日検索］、インターネット、＜ＵＲＬ：https://prtimes.jp/main/html/rd/p/000000434.000014607.html＞
【０００９】
【非特許文献２】「ＬＩＮＥ  ＬＩＶＥ」、株式会社エクシング、ＬＩＮＥ株式会社、［令和１年５月６日検索］、インターネット、＜ＵＲＬ：https://prtimes.jp/main/html/rd/p/000001318.000001594.html＞
【発明の概要】
【発明が解決しようとする課題】
【００１０】
本発明の目的は、ライブ配信されている歌唱動画の視聴者に対し、ライブコンサートにおけるアーティストと観客の一体感と類似する感覚を与えることが可能なカラオケシステムを提供することにある。
【課題を解決するための手段】
【００１１】
上記目的を達成するための一の発明は、複数の利用者端末、及び当該利用者端末と通信可能なサーバ装置を含むカラオケシステムであって、前記利用者端末のうち、カラオケ歌唱を行う歌唱者が操作する歌唱者端末は、楽曲の演奏データに基づいてカラオケ演奏を行う演奏処理部と、前記演奏処理部が行うカラオケ演奏の演奏音と、集音手段により集音されたカラオケ歌唱の歌唱音声と、撮影手段によりカラオケ歌唱を行う前記歌唱者を撮影して得られる動画像とに基づいて歌唱動画を生成し、前記サーバ装置にストリーミング送信する転送部と、を有し、前記利用者端末のうち、前記歌唱動画を視聴する複数の視聴者が操作する複数の視聴者端末は、前記サーバ装置がライブ配信する歌唱動画を表示手段に表示させる表示制御部と、前記視聴者端末の動きを検出し、モーションデータとして前記サーバ装置に送信する検出部と、を有し、前記サーバ装置は、受信した複数の前記モーションデータのそれぞれに基づいて、実際に使用されるペンライトの動きを模擬した少なくとも一つのペンライト映像を生成する生成部と、前記歌唱者端末がストリーミング送信する前記歌唱動画に対し、生成した複数の前記ペンライト映像を合成して前記視聴者端末にライブ配信する配信部と、を有するカラオケシステムである。
本発明の他の特徴については、後述する明細書及び図面の記載により明らかにする。
【発明の効果】
【００１２】
本発明によれば、ライブ配信されている歌唱動画の視聴者に対し、ライブコンサートにおけるアーティストと観客の一体感と類似する感覚を与えることができる。
【図面の簡単な説明】
【００１３】
【図１】実施形態に係るカラオケシステムの概略を示す図である。
【図２】実施形態に係る歌唱者端末を示す図である。
【図３】実施形態に係る視聴者端末を示す図である。
【図４】実施形態に係るサーバ装置を示す図である。
【図５】実施形態に係るカラオケシステムの処理を示すフローチャートである。
【発明を実施するための形態】
【００１４】
図１〜図５を参照して、第実施形態に係るカラオケシステムについて説明する。
【００１５】
＝＝カラオケシステム＝＝
カラオケシステム１は、歌唱動画をライブ配信するためのシステムである。歌唱動画は、カラオケ歌唱を行う歌唱者を撮影して得られた動画像に、カラオケ演奏の演奏音及び歌唱音声を合成したものである。図１に示すように、本実施形態に係るカラオケシステム１は、複数の利用者端末、及びサーバ装置Ｓを備える。
【００１６】
利用者端末は、カラオケシステム１の利用者が所有するスマートフォンやパーソナルコンピュータである。本実施形態に係る利用者端末には、カラオケシステム１を利用するための専用アプリケーションソフトウェア（以下、「ライブ配信アプリ」）がインストールされている。ライブ配信アプリは、サーバ装置Ｓや、サーバ装置Ｓが提供するＷｅｂサイトからダウンロードすることで入手できる。
【００１７】
ライブ配信アプリは、ライブ配信を行うための歌唱動画を生成するモード（生成モード）と、ライブ配信された歌唱動画を視聴するモード（視聴モード）を備えている。
【００１８】
生成モードでは、サーバ装置Ｓから受信したカラオケ演奏用の演奏データに基づいてカラオケ演奏を行うことができる。また、生成モードで生成される歌唱動画は、サーバ装置Ｓに順次、ストリーミング送信することができる。すなわち、本実施形態におけるライブ配信アプリを実行することにより、利用者は、カラオケ配信対応サービスを受けることができる。生成モード及び視聴モードの詳細については後述する。
【００１９】
図１の例において、利用者Ｕ１は、所有する利用者端末Ｍ１により、自己のカラオケ歌唱を撮影する。利用者端末Ｍ１は、カラオケ歌唱に基づく歌唱動画を生成し、サーバ装置Ｓにストリーミング送信する。また、不特定多数の利用者Ｕ２〜利用者Ｕｎは、自己の利用者端末Ｍ２〜利用者端末Ｍｎにより、サーバ装置Ｓがライブ配信する歌唱動画を視聴する。すなわち、利用者Ｕ１は「歌唱者」に相当し、利用者Ｕ２〜利用者Ｕｎは「視聴者」に相当する。また、利用者端末Ｍ１は「歌唱者端末」に相当し、利用者端末Ｍ２〜利用者端末Ｍｎは「視聴者端末」に相当する。歌唱者端末は、利用者端末のうち、カラオケ歌唱を行う歌唱者が操作する端末である。視聴者端末は、利用者端末のうち、歌唱動画を視聴する視聴者が操作する端末である。
【００２０】
サーバ装置Ｓは、各種情報を管理したり、各利用者端末に対して歌唱動画をライブ配信するコンピュータである。
【００２１】
＝＝歌唱者端末＝＝
図２を参照して、歌唱者端末の構成について説明する。以下、歌唱者端末として、図１における利用者端末Ｍ１を例に説明する。図２に示すように、利用者端末Ｍ１は、記憶手段１０、通信手段１１、表示手段１２、入力手段１３、集音手段１４、撮影手段１５、放音手段１６、及び制御手段１７を備える。各構成はインターフェース（図示なし）を介してバスＢに接続されている。
【００２２】
［記憶手段、通信手段、表示手段、入力手段、集音手段、撮影手段、放音手段］
記憶手段１０は、各種のデータを記憶する大容量の記憶装置である。記憶手段１０は、ライブ配信アプリでカラオケ演奏が可能な楽曲の楽曲名や楽曲識別情報や端末識別情報を記憶する。楽曲識別情報は、楽曲を識別するための楽曲ＩＤ等、各楽曲に固有の情報である。端末識別情報は、利用者端末を識別するための端末ＩＤ等、各利用者端末に固有の情報である。
【００２３】
通信手段１１は、サーバ装置Ｓとの接続を行うためのインターフェースを提供する。表示手段１２は、各種情報を表示させるディスプレイである。入力手段１３は、利用者が各種指示入力を行うための構成である。なお、一般的なスマートフォンでは、表示手段１２がタッチパネル形式で構成されており、入力手段１３として機能する。
【００２４】
利用者端末Ｍ１の集音手段１４は、歌唱者（利用者Ｕ１）の歌唱音声を集音するためのマイクである。撮影手段１５は、利用者端末に備え付けられているカメラである。利用者端末Ｍ１の撮影手段１５は、カラオケ歌唱を行う歌唱者（利用者Ｕ１）を撮影する。放音手段１６は、音声を放音するためのイヤホン等である。
【００２５】
通常、カラオケ配信対応サービスを利用する際に、歌唱者は、スタンド等に利用者端末を固定し、少し離れた場所においてワイヤレス・イヤホンでカラオケ演奏音を聴きながら、ワイヤレス・マイクで歌唱を行い、撮影手段１５に動画像を撮影させる。ワイヤレス・イヤホンからは、ワイヤレス・マイクで集音された歌唱音声がカラオケ演奏音とともに放音される。歌唱音声にはエコーなどの残響効果を付与することもできる。本実施形態におけるカラオケ配信対応サービスにおいても同様の方法で歌唱音声等を得ることができる。すなわち、集音手段１４は、利用者端末Ｍ１で利用可能なワイヤレス・マイクのような別部材を含む。また、放音手段１６は、利用者端末Ｍ１で利用可能なワイヤレス・イヤホンのような別部材を含む。
【００２６】
［制御手段］
制御手段１７は、利用者端末Ｍ１における各種の制御を行う。制御手段１７は、ＣＰＵおよびメモリ（いずれも図示無し）を備える。ＣＰＵは、メモリに記憶されたプログラムを実行することにより各種の機能を実現する。
【００２７】
ライブ配信アプリを起動し、生成モードが選択された場合（利用者がカラオケ配信対応サービスの利用を希望する場合）、制御手段１７は、演奏処理部１７ａ及び転送部１７ｂとして機能する。
【００２８】
（演奏処理部）
演奏処理部１７ａは、楽曲の演奏データに基づいてカラオケ演奏を行う。具体的に、演奏処理部１７ａは、演奏データに基づいて演奏音を生成し、放音手段１６から放音させる。
【００２９】
演奏データは、たとえばサーバ装置Ｓから取得することができる。具体例として、利用者Ｕ１が、利用者端末Ｍ１を介してカラオケ歌唱のライブ配信を希望する楽曲Ｘを選曲したとする。この場合、演奏処理部１７ａは、楽曲Ｘの楽曲ＩＤをサーバ装置Ｓに送信する。サーバ装置Ｓは、利用者端末Ｍ１から受信した楽曲ＩＤに基づいて楽曲Ｘの演奏データを読み出し、利用者端末Ｍ１に送信する。演奏処理部１７ａは、受信した楽曲Ｘの演奏データに基づいて演奏音を生成する。なお、記憶手段１０が予め複数の楽曲の演奏データを記憶しておくことでもよい。この場合、演奏処理部１７ａは、利用者Ｕ１が選曲した楽曲の演奏データを読み出し、当該演奏データに基づいて演奏音を生成する。
【００３０】
利用者Ｕ１は、演奏音に併せてカラオケ歌唱を行う。集音手段１４は、利用者Ｕ１のカラオケ歌唱による歌唱音声を集音する。また、撮影手段１５は、少なくとも利用者Ｕ１がカラオケ歌唱を行っている間、利用者Ｕ１の姿（具体的には顔や上半身）を撮影する。すなわち、利用者Ｕ１は、動画像の自撮りを行う。
【００３１】
なお、一般に、カラオケ歌唱が可能な楽曲には、演奏データと併せて、楽曲の歌詞を表示させるための歌詞テロップデータが準備されている。演奏処理部１７ａは、歌詞テロップデータに基づいて歌詞を生成し、演奏音と同期して表示手段１２に歌詞を表示させることができる。歌詞テロップデータは、演奏データと同様の方法で取得することができる。
【００３２】
（転送部）
転送部１７ｂは、演奏処理部１７ａが行うカラオケ演奏の演奏音と、集音手段１４により集音されたカラオケ歌唱の歌唱音声と、撮影手段１５によりカラオケ歌唱を行う歌唱者を撮影して得られる動画像とに基づいて歌唱動画を生成し、サーバ装置Ｓにストリーミング送信する。
【００３３】
転送部１７ｂは、演奏音、歌唱音声、及び歌唱者の動画像を合成し、歌唱動画を生成する。各音声と動画像の合成は、公知の手法を用いることができる。転送部１７ｂは、通信手段１１を介し、生成する歌唱動画を順次サーバ装置Ｓにストリーミング送信する。
【００３４】
＝＝視聴者端末＝＝
次に、図３を参照して、視聴者端末の構成について説明する。以下、視聴者端末として、図１における利用者端末Ｍ２を例に説明する。なお、利用者端末Ｍ３〜利用者端末Ｍｎも同様の構成を有する。
【００３５】
図３に示すように、利用者端末Ｍ２のハードウェア構成は、利用者端末Ｍ１と同様である。一方、ライブ配信アプリを起動し、視聴モードが選択された場合、制御手段１７は、表示制御部１７ｃ、検出部１７ｄ、及び設定部１７ｅとして機能する。
【００３６】
（表示制御部）
表示制御部１７ｃは、サーバ装置Ｓがライブ配信する歌唱動画を表示手段１２に表示させる。
【００３７】
たとえば、利用者Ｕ２は、視聴モードを選択した後、表示手段１２に表示される検索画面で視聴したい歌唱動画を選択する。利用者Ｕ１がストリーミング送信中の歌唱動画を選択した場合、表示制御部１７ｃは、サーバ装置Ｓにアクセスし、利用者Ｕ１がストリーミング送信中の歌唱動画のライブ配信を受け、表示手段１２に表示させる。よって、利用者Ｕ２は利用者Ｕ１がストリーミング送信中の歌唱動画を視聴することができる。また、歌唱動画を視聴する利用者Ｕ２は、入力手段１３を用いてコメントを入力したり、利用者Ｕ１に対してギフトを提供することができる。
【００３８】
（検出部）
検出部１７ｄは、視聴者端末の動きを検出し、モーションデータとしてサーバ装置Ｓに送信する。
【００３９】
視聴者端末の動きの検出は、視聴者端末に内蔵されている加速度センサ（図示なし）を用いた公知の技術により行うことができる。
【００４０】
たとえば、ライブ配信アプリを起動し、視聴モードを選択した場合、表示手段１２にペンライト映像を合成するかどうかの選択画面が表示される。利用者Ｕ２は、入力手段１３を介して「合成する」旨の選択を行った後、歌唱動画のカラオケ歌唱に合わせて、利用者端末Ｍ２を左右や上下に振る動作を繰り返し行う。
【００４１】
この場合、検出部１７ｄは、利用者端末Ｍ２の動きを検出し、モーションデータＭＤとしてサーバ装置Ｓに送信する。
【００４２】
なお、視聴者端末を振る動作は、ある一定期間だけ（たとえば、５秒間、或いはカラオケ演奏中の楽曲の２小節分）行うことでよい。その後、視聴者は視聴者端末で歌唱動画を視聴することができる。
【００４３】
（設定部）
設定部１７ｅは、ペンライト映像の発光態様を決定するための発光情報を設定する。
【００４４】
ペンライト映像は、サーバ装置Ｓにより生成される映像である（詳細は後述）。発光態様は、ペンライト映像における発光色（ペンライト映像の色）、輝度、点灯パターン（常時点灯、点滅など）等である。
【００４５】
たとえば、ライブ配信アプリを起動し、視聴モードを選択した場合、表示手段１２に発光態様の選択画面が表示される。利用者Ｕ２は、入力手段１３を介し、複数の発光態様の中から任意の発光態様（たとえば、発光色：赤）を選択する。設定部１７ｅは、選択された発光態様を利用者端末Ｍ２のモーションデータＭＤに対応する発光情報として設定する。
【００４６】
検出部１７ｄは、設定された発光情報をモーションデータＭＤと併せてサーバ装置Ｓに送信する。
【００４７】
＝＝サーバ装置＝＝
図４はサーバ装置Ｓのハードウェア構成例を示す図である。サーバ装置Ｓは、記憶手段２０、通信手段２１、及び制御手段２２を備える。各構成はインターフェース（図示なし）を介してバスＢに接続されている。
【００４８】
記憶手段２０は、各種のデータを記憶する大容量の記憶装置である。たとえば、記憶手段２０は、カラオケ演奏を行うための複数の楽曲について楽曲データを記憶する。楽曲データは、楽曲識別情報が付与されている。楽曲データは、演奏データ、リファレンスデータ、歌詞テロップデータ等を含む。通信手段２１は、サーバ装置Ｓと各利用者端末とを接続するためのインターフェースを提供する。
【００４９】
制御手段２２は、サーバ装置Ｓにおける各種の制御を行う。図４に示すように、本実施形態に係る制御手段２２は、生成部２２ａ及び配信部２２ｂとして機能する。
【００５０】
（生成部）
生成部２２ａは、受信したモーションデータに基づいて、少なくとも一つのペンライト映像を生成する。また、本実施形態において、生成部２２ａは、受信した発光情報に基づいて、複数のペンライト映像の発光態様を設定する。
【００５１】
ペンライト映像は、実際に使用されるペンライトの動きを模擬した映像である。
【００５２】
たとえば、利用者端末Ｍ２からモーションデータＭＤを受信したとする。この場合、生成部２２ａは、モーションデータＭＤが示す動きでペンライトの画が動く映像を生成する。ペンライト映像の生成は、公知のＣＧ技術を用いることができる。
【００５３】
また、生成部２２ａがモーションデータＭＤと併せて「発光色：赤」という発光情報を受信したとする。この場合、生成部２２ａは、ペンライトの画が赤色で発光しながら動く映像を生成する。
【００５４】
なお、生成部２２ａは、受信した一のモーションデータに基づいて、複数のペンライト映像を生成してもよい。この場合、一のモーションデータに基づいて生成された複数のペンライト映像は、全て同じ映像となる。
【００５５】
（配信部）
配信部２２ｂは、歌唱者端末がストリーミング送信する歌唱動画に対し、生成したペンライト映像を合成して視聴者端末にライブ配信する。
【００５６】
歌唱動画をライブ配信する方法は公知の手法を利用することができる。たとえば、上記例で述べたように、利用者Ｕ１の利用者端末Ｍ１からストリーミング送信されている歌唱動画を利用者Ｕ２が選択したとする。この場合、配信部２２ｂは、利用者Ｕ２が所有する利用者端末Ｍ２に対し、利用者端末Ｍ１がストリーミング送信中の歌唱動画のライブ配信を行う。
【００５７】
利用者Ｕ２がペンライト映像の合成を選択している場合、生成部２２ａは、ペンライト映像を生成する。配信部２２ｂは、利用者端末Ｍ１がストリーミング送信する歌唱動画に対し、生成部２２ａにより生成されたペンライト映像を合成して利用者端末Ｍ２にライブ配信を行う。利用者端末Ｍ２の表示制御部１７ｃは、ペンライト映像が合成された歌唱動画を表示手段１２に表示させる。
【００５８】
なお、複数の利用者Ｕ２〜利用者Ｕｎが利用者Ｕ１の歌唱動画を視聴している場合、複数の利用者端末Ｍ２〜利用者端末Ｍｎから複数のモーションデータが送信されることがある。この場合、生成部２２ａは、複数のモーションデータのそれぞれに基づいて複数のペンライト映像を生成する。また、配信部２２ｂは、生成された複数のペンライト映像を歌唱動画に合成して各視聴者端末に対してライブ配信する。逆に、生成部２２ａは、複数のモーションデータの一部（但し、２つ以上）のみを用いてペンライト映像を生成してもよい。また、配信部２２ｂは、生成された複数のペンライト映像の一部のみを歌唱動画に合成してライブ配信してもよい。
【００５９】
＝＝カラオケシステムにおける処理について＝＝
次に、図５を参照して本実施形態に係るカラオケシステム１における処理について述べる。図５は、カラオケシステム１における処理を示すフローチャートである。この例では、歌唱者端末からストリーミング送信されている歌唱動画を、一の視聴者端末で視聴する例について述べる。
【００６０】
歌唱者端末の演奏処理部１７ａは、楽曲の演奏データに基づいてカラオケ演奏を行う（カラオケ演奏を開始。ステップ１０）。集音手段１４は、カラオケ歌唱の歌唱音声を集音する。また、撮影手段１５は、カラオケ歌唱を行う歌唱者を撮影し、動画像を得る。
【００６１】
転送部１７ｂは、カラオケ演奏の演奏音、歌唱音声、及び動画像に基づいて歌唱動画を生成し、サーバ装置Ｓにストリーミング送信する（歌唱動画をストリーミング送信。ステップ１１）。
【００６２】
サーバ装置Ｓの配信部２２ｂは、歌唱者端末がストリーミング送信中の歌唱動画を視聴者端末にライブ配信する（歌唱動画をライブ配信。ステップ１２）。
【００６３】
視聴者端末の表示制御部１７ｃは、サーバ装置Ｓがライブ配信する歌唱動画を表示手段１２に表示させる（歌唱動画を表示。ステップ１３）。視聴者は、歌唱者の歌唱動画を視聴することができる。
【００６４】
ここで、視聴者が、視聴者端末の表示手段１２に表示された発光態様の選択画面で任意の発光態様を選択する。設定部１７ｅは、選択された発光態様を視聴者端末における発光情報として設定する（発光情報の設定。ステップ１４）。
【００６５】
その後、視聴者は、歌唱動画の演奏音に合わせて、視聴者端末を振る動作を行う。この場合、検出部１７ｄは、視聴者端末の動きを検出し、モーションデータ及びステップ１４で設定された発光情報を併せてサーバ装置Ｓに送信する（モーションデータ及び発光情報の送信。ステップ１５）。
【００６６】
サーバ装置Ｓの生成部２２ａは、受信したモーションデータＭＤ及び発光情報に基づいて、実際に使用されるペンライトの動きを模擬したペンライト映像を生成する（ペンライト映像を生成。ステップ１６）。
【００６７】
配信部２２ｂは、歌唱者端末がストリーミング送信する歌唱動画に対し、ステップ１６で生成したペンライト映像を合成して視聴者端末にライブ配信する（ペンライト映像を合成してライブ配信。ステップ１７）。
【００６８】
視聴者端末の表示制御部１７ｃは、サーバ装置Ｓがライブ配信するペンライト映像が合成された歌唱動画を表示手段１２に表示させる（ペンライト映像が合成された歌唱動画を表示。ステップ１８）。
【００６９】
以上から明らかなように、本実施形態に係るカラオケシステム１は、複数の利用者端末、及び当該利用者端末と通信可能なサーバ装置Ｓを含む。利用者端末のうち、カラオケ歌唱を行う歌唱者が操作する歌唱者端末は、楽曲の演奏データに基づいてカラオケ演奏を行う演奏処理部１７ａと、演奏処理部１７ａが行うカラオケ演奏の演奏音と、集音手段１４により集音されたカラオケ歌唱の歌唱音声と、撮影手段１５によりカラオケ歌唱を行う歌唱者を撮影して得られる動画像とに基づいて歌唱動画を生成し、サーバ装置Ｓにストリーミング送信する転送部１７ｂと、を有する。利用者端末のうち、歌唱動画を視聴する複数の視聴者が操作する複数の視聴者端末は、サーバ装置Ｓがライブ配信する歌唱動画を表示手段１２に表示させる表示制御部１７ｃと、視聴者端末の動きを検出し、モーションデータとしてサーバ装置Ｓに送信する検出部１７ｄと、を有する。サーバ装置Ｓは、受信した複数のモーションデータのそれぞれに基づいて、実際に使用されるペンライトの動きを模擬した少なくとも一つのペンライト映像を生成する生成部２２ａと、歌唱者端末がストリーミング送信する歌唱動画に対し、生成した複数のペンライト映像を合成して視聴者端末にライブ配信する配信部２２ｂと、を有する。
【００７０】
このようなカラオケシステム１によれば、複数の視聴者端末の動きに応じたモーションデータのそれぞれに基づいて複数のペンライト映像を生成し、その複数のペンライト映像を歌唱動画に合成して表示させることができる。このようにペンライトによる演出が模擬された歌唱動画を視聴する視聴者は、コンサート会場で実際にペンライトを振っているのと同じ感覚を持つことができる。すなわち、本実施形態に係るカラオケシステム１によれば、ライブ配信されている歌唱動画の視聴者に対し、ライブコンサートにおけるアーティストと観客の一体感と類似する感覚（すなわち、歌唱者との一体感）を与えることができる。
【００７１】
また、視聴者端末は、ペンライト映像の発光態様を決定するための発光情報を設定する設定部１７ｅを有し、検出部１７ｄは、設定された発光情報をモーションデータと併せてサーバ装置Ｓに送信し、生成部２２ａは、受信した発光情報に基づいて、ペンライト映像の発光態様を設定してもよい。このようなカラオケシステム１によれば、視聴者が希望する発光態様に応じたペンライト映像を生成することができる。
【００７２】
なお、設定部１７ｅは必須の構成ではない。たとえば、予め複数の発光情報をサーバ装置Ｓ側で記憶しておくことも可能である。この場合、生成部２２ａは、ペンライト映像を生成する際に一の発光情報を選択する。そして、生成部２２ａは、選択した発光情報に基づいてペンライト映像の発光態様を決定する。
【００７３】
また、生成部２２ａは、受信した一のモーションデータに基づいて、複数のペンライト映像を生成してもよい。このようなカラオケシステム１によれば、一のモーションデータに基づいて生成された複数のペンライト映像を表示させることができる。従って、視聴者の数が少ない場合であっても、多数のペンライトが振られている様子を模擬的に実現することができる。
【００７４】
＜その他＞
上記実施形態では、ライブ配信される歌唱動画を視聴している途中で視聴者端末を振る動作を行う例について述べた。この場合、視聴者が視聴者端末を振っている間は歌唱動画の音声しか聴くことができない。一方、記憶手段１０に予め記憶させておいた所定のモーションデータを利用することも可能である。この場合、検出部１７ｄは、記憶手段１０に予め記憶されている所定のモーションデータを読み出し、視聴者端末の動きに応じたモーションデータとしてサーバ装置Ｓに送信する。このように予め記憶されているモーションデータを利用することにより、視聴者は歌唱動画の視聴に専念できる。
【００７５】
所定のモーションデータは、たとえば、予め決定されているいくつかのパターンの中から一のパターンを採用することができる。このとき、採用された一のパターンをカラオケ演奏する楽曲のテンポ情報に基づいて補正し、所定のモーションデータとしてもよい。
【００７６】
或いは、予め検出部１７ｄにより取得したモーションデータを記憶手段１０に記憶させておき、当該モーションデータを所定のモーションデータとして採用することができる。この場合、視聴者の好みに合った動きのペンライト映像を表示させることができる。
【００７７】
また、配信部２２ｂは、ペンライト映像を合成した歌唱動画を歌唱者端末に対してライブ配信してもよい。この場合、歌唱者は、ペンライト映像が合成された歌唱動画を視認することができるため、ライブコンサートにおけるアーティストと観客の一体感と類似する感覚（すなわち、視聴者との一体感）を得ることができる。
【００７８】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７９】
１  カラオケシステム
１７ａ  演奏処理部
１７ｂ  転送部
１７ｃ  表示制御部
１７ｄ  検出部
１７ｅ  設定部
２２ａ  生成部
２２ｂ  配信部
Ｍ１  利用者端末（歌唱者端末）
Ｍ２  利用者端末（視聴者端末）
Ｓ  サーバ装置
【図１】
2020194030.tif 000003
【図２】
2020194030.tif 000004
【図３】
2020194030.tif 000005
【図４】
2020194030.tif 000006
【図５】
2020194030.tif 000007